(57)【特許請求の範囲】
【請求項１】
筒状体の外周面から外側に突出するとともに前記筒状体の軸方向へ延在する中空状の取付リブを備える竪樋である第１の樋部材と、前記竪樋あるいは筒状の継手部材である第２の樋部材とを互いの内部を連通させて接続するための竪樋接続用部材であって、
前記第１の樋部材の内部に嵌合する筒状の第１嵌合部と、前記第２の樋部材の内部に嵌合する筒状の第２嵌合部と、前記第１嵌合部と前記第２嵌合部の間に設けられた環状のフランジ部とを備えるとともに、
前記第１嵌合部を前記第１の樋部材に嵌合し、前記第２嵌合部を前記第２の樋部材に嵌合した状態で、前記フランジ部から前記軸方向の一方向に突出し前記第１の樋部材及び前記第２の樋部材のいずれか一方の前記取付リブの中空部に嵌合させる第１突起部と、前記第１突起部と同軸上に配されて前記軸方向の他方向に突出し前記第１の樋部材及び前記第２の樋部材の他方側の前記取付リブの中空部に嵌合させる第２突起部とを備えていることを特徴とする竪樋接続用部材。
【発明の詳細な説明】
【技術分野】
【０００１】
本発明は、竪樋同士、竪樋とエルボ継手の樋部材同士を接続するための竪樋接続用部材に関する。
【背景技術】
【０００２】
住宅などには、屋根から流れ落ちる雨水を受ける軒樋と、集水器や呼び樋を介して軒樋に接続され、軒樋に集められた雨水を排水管に導くための竪樋とを備えた雨樋が設置されている。竪樋を住宅などの外壁に設置するには、竪樋を外壁に支持、固定するための竪樋支持具を外壁に固定し、この竪樋支持具に竪樋を固定している。
【０００３】
従来より、竪樋支持具としては、竪樋の外周面に巻き回すように取り付けられて竪樋を締め付け保持する環状のバンド部と、このバンド部を外壁に固定する固定部とを備えたものが多用されている。
しかし、この種の竪樋支持具は、竪樋の外周面に環状のバンド部が露出し、外観を損なう場合があるため、近年では、外観を損なうことなく竪樋を固定支持することが可能な竪樋支持具を備えた竪樋の取付構造が提案されている。
【０００４】
例えば、特許文献１に開示された竪樋の取付構造では、竪樋は、外周面から外側に突出し先端に膨出状の係止部を備えるとともに竪樋の軸方向に延在する取付リブが形成されており、住宅などの外壁に固定され、この取付リブが嵌入される嵌入溝が形成された竪樋支持具に固定されることによって住宅などの外壁に支持されている。
【０００５】
この竪樋支持具は、嵌入溝に取付リブが嵌入されることで竪樋を支持しているため、従来の竪樋支持具に設けられているバンド部が不要となり、竪樋を支持している状態において竪樋の背面側に隠れてしまうため、竪樋支持具が露出して外観を損なうことがない。
また、竪樋を住宅などの外壁に取り付けるときには、従来のバンド部を竪樋の外周に巻き回して固定する作業の代わりに、取付リブを嵌入溝に嵌入させる作業を行えばよいため、作業性がよく、効率よく竪樋を取り付けることができる。
【先行技術文献】
【特許文献】
【０００６】
【特許文献１】特開２０００−３４８１１号公報
【発明の概要】
【発明が解決しようとする課題】
【０００７】
また、取付リブを中空状で形成し、この中空部を備えた取付リブと竪樋支持具で構成した竪樋の取付構造がある。そして、この竪樋の取付構造においては、取付リブを竪樋支持具の嵌入溝に嵌入した際に、竪樋支持具を弾性変形させるとともに取付リブを弾性変形させることができ、施工性を向上させることができる。
【０００８】
この一方で、中空部を備えた取付リブと竪樋支持具で構成した竪樋の取付構造では、中空部が竪樋の軸方向の上端や下端に開口して取付リブが形成されるため、取付リブを竪樋支持具に嵌入して竪樋を取り付けた後に、取付リブの中空部内に水が浸入する可能性がある。このため、例えば寒冷地で使用した場合には、中空部に浸入した水が凍結し、膨張圧によって取付リブなどに損傷を与えることも考えられ、この点で改善の余地が残されていた。
【０００９】
また、特に、取付リブを備えた竪樋が小口径の樹脂製竪樋である場合には、大口径の竪樋と比較しねじれなどが生じやすく、上下に接続する竪樋の取付リブ同士に位置ズレが生じる可能性がある。さらに、竪樋を呼び樋にエルボ継手を介して接続する部分では、竪樋の取付リブが急に途切れた状態になる。そして、このように取付リブ同士の位置ズレや取付リブの急な途切れが外観を損なう要因になるため、この点でも改善の余地が残されていた。
【００１０】
本発明が解決しようとする課題は、竪樋のねじれや位置ズレが生じることを防止できるとともに、外観を向上させることを可能にする竪樋接続用部材を提供することにある。
【課題を解決するための手段】
【００１１】
そこで、本発明は、上記課題を解決するために以下の手段を提供している。
【００１２】
請求項１記載の竪樋接続用部材は、筒状体の外周面から外側に突出するとともに前記筒状体の軸方向へ延在する中空状の取付リブを備える竪樋である第１の樋部材と、前記竪樋あるいは筒状の継手部材である第２の樋部材とを互いの内部を連通させて接続するための竪樋接続用部材であって、前記第１の樋部材の内部に嵌合する筒状の第１嵌合部と、前記第２の樋部材の内部に嵌合する筒状の第２嵌合部と、前記第１嵌合部と前記第２嵌合部の間に設けられた環状のフランジ部とを備えるとともに、前記第１嵌合部を前記第１の樋部材に嵌合し、前記第２嵌合部を前記第２の樋部材に嵌合した状態で、前記フランジ部から前記軸方向の一方向に突出し前記第１の樋部材及び前記第２の樋部材のいずれか一方の前記取付リブの中空部に嵌合させる第１突起部と、前記第１突起部と同軸上に配されて前記軸方向の他方向に突出し前記第１の樋部材及び前記第２の樋部材の他方側の前記取付リブの中空部に嵌合させる第２突起部とを備えていることを特徴とする。
【発明の効果】
【００１３】
請求項１記載の竪樋接続用部材においては、フランジ部を挟んで一方の側に設けられた第１嵌合部を竪樋である第１の樋部材の内部に嵌合し、他方の側に設けられた第２嵌合部を、竪樋あるいはエルボ継手などの継手部材である第２の樋部材の内部に嵌合することによって、この竪樋接続用部材を介して、竪樋同士や、竪樋とエルボ継手の樋部材同士を接続することができる。
【００１４】
そして、このとき、第２の樋部材が取付リブを備えた竪樋であり、竪樋接続用部材を用いて、中空状の取付リブを備えた竪樋同士を接続する場合には、第１の樋部材である一方の竪樋の内部に第１嵌合部を嵌合し、第２の樋部材である他方の竪樋の内部に第２嵌合部を嵌合するとともに、フランジ部から突出した第１突起部を一方の竪樋の取付リブの中空部に嵌合させ、第２突起部を他方の竪樋の取付リブの中空部に嵌合させる。これにより、第１及び第２突起部によって一方の竪樋と他方の竪樋の取付リブ同士が同軸上に位置決めされ、竪樋のねじれや位置ズレが生じることを防止でき、外観を向上させることが可能になる。
【００１５】
一方、第２の樋部材が呼び樋と竪樋を接続するためのエルボ継手などの継手部材であり、竪樋接続用部材を用いて、中空状の取付リブを備えた竪樋と継手部材を接続する場合には、第１の樋部材である一方の竪樋の内部に第１嵌合部を嵌合し、第２の樋部材である継手部材の内部に第２嵌合部を嵌合するとともに、フランジ部から突出した第１突起部を第１の樋部材である竪樋の取付リブの中空部に嵌合させる。これにより、第１突起部によって、竪樋の取付リブの中空部の開口を閉塞することが可能になり、この取付リブの中空部の開口から水が浸入することを防止できる。よって、中空部内に浸入した水が凍結して取付リブなどに損傷が生じることを確実に防止できる。
【００１６】
また、竪樋接続用部材を用いて取付リブを備えた竪樋と継手部材を接続する場合には、第２突起部が露出することになるが、この露出した第２突起部にキャップを取り付けることで、竪樋の取付リブが継手部材との接続部分で急に途切れた状態になることを防止でき、キャップによって連続性を向上させることができる。これにより、容易に外観を向上させることが可能になる。
【図面の簡単な説明】
【００１７】
【図１】本発明の一実施形態に係る竪樋の取付構造、竪樋接続用部材を示す斜視図である。
【図２】本発明の一実施形態に係る竪樋の取付構造、竪樋接続用部材を示す正面視図である。
【図３】本発明の一実施形態に係る竪樋接続用部材を示す正面視図である。
【発明を実施するための形態】
【００１８】
以下、図１から図３を参照し、本発明の一実施形態に係る竪樋接続用部材について説明する。
【００１９】
はじめに、本実施形態の竪樋接続用部材Ａは、図１及び図２に示すように、竪樋１と竪樋１、竪樋１とエルボ継手２など、竪樋１である第１の樋部材と、竪樋１あるいは継手部材２である第２の樋部材とを接続するためのものである。
【００２０】
竪樋１は、図１及び図２に示すように、筒状に形成された筒状体１ｂと、該筒状体１ｂの外周面１ａから筒状体１ｂの径方向外側に突出するとともに筒状体１ｂの軸方向Ｏ１へ延在する取付リブ３とを備えている。
【００２１】
また、本実施形態の竪樋１は、図１及び図２に示す竪樋の取付構造Ｂによって住宅などの外壁Ｔに取り付けられ、この竪樋の取付構造Ｂは、竪樋１の取付リブ３と、住宅などの外壁Ｔの設置面Ｔ１に固設される竪樋支持具４とで構成されている。
【００２２】
取付リブ３は、図１に示すように、竪樋１の外周面１ａから径方向外側に延びる軸部５と、軸部５の突出方向先端に設けられ、軸部５を中心に竪樋１の軸線Ｏ１直交方向両側に突出して膨出状に形成された係止部６とを備えて断面Ｔ字状に形成されている。さらに、取付リブ３が内側に中空部７を備えて形成されている。また、取付リブ３の軸方向Ｏ１に中空部７が延設され、取付リブ３の軸方向Ｏ１上端及び下端でそれぞれ開口している。なお、この中空部７を備えた取付リブ３は、厚さを竪樋１の厚さと略同等にして形成され、竪樋１を押出成形（や射出成形）で製造する際に、取付リブ３の形状に応じた金型を用いることによって、竪樋１とともに一体形成されている。
【００２３】
竪樋支持具４は、ＡＥＳ、ＡＢＳ、ポリカーボネート、ポリ塩化ビニルなどの樹脂を用いて押出成形や射出成形で形成され、図１に示すように、固定部８と、固定部８の両側からそれぞれ、固定部８に直交して突設された一対の係止片部（一対の弾性片）９とを備えて断面Ｃ字状（断面略Ｃ字状を含む）に形成されている。これにより、竪樋支持具４は、側部の一対の係止片部９の間に軸方向Ｏ２（上下方向）に延びる嵌入溝１０を備えて形成されている。
【００２４】
そして、上記構成からなる竪樋の取付構造Ｂにおいては、竪樋１を住宅などの外壁Ｔに取付る際に、竪樋支持具４を外壁Ｔの設置面Ｔ１に取り付ける。このとき、固定部８に形成された貫通孔にビス（止具）を挿通し、このビスを外壁Ｔに螺入することによって、竪樋支持具４が固定部８を外壁Ｔの設置面Ｔ１に面接触させた状態で設置される。これにより、竪樋支持具４は、一対の係止片部９ひいては嵌入溝１０を外側に向けた状態で外壁Ｔに固定して設置される。
【００２５】
また、竪樋１を所定位置に配置するとともに、取付リブ３の係止部６の先端面が一対の係止片部９を押圧するようにして、竪樋１を竪樋支持具４の内部に向けて押し込む。このように竪樋１を押し込むと、取付リブ３の係止部６の円弧状の先端面と竪樋支持具４の係止片部９が互いに案内し合って一対の係止片部９が外側に倒れるように弾性変形し、嵌入溝１０が拡張する。これにより、嵌入溝１０を通じて取付リブ３の係止部６が竪樋支持具４の内部に入り込む。
【００２６】
このとき、取付リブ３の係止部６が中空状に形成されているため、その先端面を一対の係止片部９に押圧させた際、一対の係止片部９が弾性変形するとともに、この係止部６が弾性変形する。そして、一対の係止片部９の弾性変形量ひいては嵌入溝１０の拡張量が小さく抑えられた状態でも、取付リブ３の係止部６が弾性変形して、嵌入溝１０から竪樋支持具４の内部に挿入される。このため、一対の係止片部９（竪樋支持具４）が大きく弾性変形して破損するようなことがない。
【００２７】
このように取付リブ３の係止部６が竪樋支持具４の内部に挿入されると、取付リブ３の係止部６が竪樋支持具４の一対の係止片部９に係止される。これにより、嵌入溝１０から取付リブ３の係止部６を竪樋支持具４の内部に押し込んで嵌入させるだけで、竪樋１の竪樋支持具４への取付が行える。
【００２８】
一方、竪樋１を取り付ける際には、図１及び図２に示すように、本実施形態の竪樋接続用部材Ａを用いて、予め竪樋１同士（第１の樋部材１と第２の樋部材１）を接続してから取付リブ３を竪樋支持具４に押し込む。また、軒樋に接続した呼び樋１１と、竪樋支持具４に取り付けた竪樋１とを接続する際には、本実施形態の竪樋接続用部材Ａを用いて、竪樋１と呼び樋１１に取り付けたエルボ継手２（継手部材である第２の樋部材）を接続する。
【００２９】
そして、竪樋１同士、竪樋１とエルボ継手２をそれぞれ接続するための本実施形態の竪樋接続用部材Ａは、図３（図１及び図２）に示すように、略円筒状に形成され、軸方向Ｏ３略中央に外周面１２から外側に突出する環状のフランジ部１３が設けられ、このフランジ部１３を境に軸方向Ｏ３の上方側に円筒状の第２嵌合部１５が設けられ、下方側に円筒状の第１嵌合部１６が設けられている。また、第１嵌合部１６と第２嵌合部１５は、その外径を竪樋１やエルボ継手２の内径と略同等の寸法にして形成されている。
【００３０】
さらに、この竪樋接続用部材Ａは、フランジ部１３の上面から軸方向Ｏ３上方に向けて、また、フランジ部１３の下面から軸方向Ｏ３下方に向けてそれぞれ突設され、且つ互いに同軸上に配設された第１突起部１７と第２突起部１８を備えて形成されている。各突起部１７、１８は、その断面形状を竪樋１の取付リブ３の中空部７の断面形状と同形同大で形成されている。
【００３１】
このように構成した本実施形態の竪樋接続用部材Ａにおいては、図１及び図２に示すように、フランジ部１３を挟んで一方の第１嵌合部１６を第１の樋部材である竪樋１の内部に嵌合し、他方の第２嵌合部１５を竪樋１やエルボ継手２の第２の樋部材の内部に嵌合することによって、竪樋接続用部材Ａを介して第１の樋部材である竪樋１と、第２の樋部材である竪樋１やエルボ継手２を接続する。
【００３２】
そして、このとき、第２の樋部材が取付リブ３を備えた竪樋１である場合には、すなわち、竪樋接続用部材Ａを用いて取付リブ３を備えた竪樋１同士を接続する場合には、一方の竪樋１の内部に一方の嵌合部１６を嵌合し、他方の竪樋１の内部に他方の嵌合部１５を嵌合して竪樋１同士を接続する。また、これとともに、フランジ部１３から突設された一方の第２突起部１８を一方の竪樋１の取付リブ３の中空部７に嵌合させ、他方の第１突起部１７を他方の竪樋１の取付リブ３の中空部７に嵌合させる。これにより、一対の突起部１７、１８によって一方の竪樋１と他方の竪樋１の取付リブ３同士が同軸上に位置決めされ、ねじれや位置ズレが生じることを防止して竪樋１同士が接続されることになる。
【００３３】
一方、第２の樋部材が呼び樋１１と竪樋１を接続するためのエルボ継手２である場合には、すなわち、竪樋接続用部材Ａを用いて取付リブ３を備えた竪樋１とエルボ継手２を接続する場合には、竪樋１の内部に一方の嵌合部１６を嵌合し、エルボ継手２に他方の嵌合部１５を嵌合して竪樋１とエルボ継手２を接続する。これとともに、フランジ部１３から突設された一方の第２突起部１８を竪樋１の取付リブ３の中空部７に嵌合させる。このため、一方の第２突起部１８によって、取付リブ３の中空部７の開口が閉塞する。これにより、この取付リブ３の中空部７の開口から水が浸入することがなく、中空部７内に浸入した水が凍結して取付リブ３などに損傷が生じることが防止される。
【００３４】
さらに、竪樋接続用部材Ａを用いて取付リブ３を備えた竪樋１とエルボ継手２を接続する場合には、エルボ継手２に取付リブ３が設けられていないため、他方の第１突起部１７が露出することになる。これに対し、図１から図３に示すように、この露出した他方の突起部１７にキャップ２０を被せて取り付ける。そして、例えば先端に向かうに従い漸次その厚さが小となるように形成したキャップ２０を用いることで、竪樋１の取付リブ３がエルボ継手２との接続部分で急に途切れた状態にならず、このキャップ２０によって取付リブ３の連続性が得られることになる。
【００３５】
したがって、本実施形態の竪樋接続用部材Ａにおいては、取付リブ３を備えた竪樋１同士を接続する場合に、一方の竪樋１の内部に一方の嵌合部１６を嵌合し、他方の竪樋１の内部に他方の嵌合部１５を嵌合して竪樋１同士を接続するとともに、フランジ部１３から突設された一方の突起部１８を一方の竪樋１の取付リブ３の中空部７に嵌合させ、他方の突起部１７を他方の竪樋１の取付リブ３の中空部７に嵌合させる。これにより、一対の突起部１７、１８によって一方の竪樋１と他方の竪樋１の取付リブ３同士が同軸上に位置決めされ、竪樋１のねじれや位置ズレが生じることを防止できるとともに、外観を向上させることが可能になる。
【００３６】
また、取付リブ３を備えた竪樋１とエルボ継手２を接続する場合には、竪樋１の内部に一方の嵌合部１６を嵌合し、エルボ継手２に他方の嵌合部１５を嵌合して竪樋１とエルボ継手２を接続するとともに、フランジ部１３から突設された一方の突起部１８を竪樋１の取付リブ３の中空部７に嵌合させる。これにより、一方の突起部１８によって、取付リブ３の中空部７の開口を閉塞することが可能になり、この取付リブ３の中空部７の開口から水が浸入することを防止でき、従来のように中空部７内に浸入した水が凍結して取付リブ３などに損傷が生じることを確実に防止できる。
【００３７】
さらに、竪樋接続用部材Ａを用いて取付リブ３を備えた竪樋１とエルボ継手２を接続する場合には、露出した他方の突起部１７にキャップ２０を被せて取り付けることにより、竪樋１の取付リブ３がエルボ継手２との接続部分で急に途切れた状態にならず、キャップ２０によって連続性を向上させることができる。これにより、外観を向上させることが可能になる。
【００３８】
以上、本発明に係る竪樋接続用部材の一実施形態について説明したが、本発明は上記の一実施形態に限定されるものではなく、その趣旨を逸脱しない範囲で適宜変更可能である。
【符号の説明】
【００３９】
１      竪樋（第１の樋部材、第２の樋部材）
１ａ    外周面
１ｂ    筒状体
２      エルボ継手（継手部材、第２の樋部材）
３      取付リブ
４      竪樋支持具
５      軸部
６      係止部
７      中空部
８      固定部
９      係止片部
１０    嵌入溝
１１    呼び樋
１２    外周面
１３    フランジ部
１５    第２嵌合部
１６    第１嵌合部
１７    第１突起部
１８    第２突起部
２０    キャップ
Ａ      竪樋接続用部材
Ｂ      竪樋の取付構造
Ｏ１    竪樋の軸
Ｏ２    竪樋支持具の軸
Ｏ３    竪樋接続用部材の軸
Ｔ      外壁
Ｔ１    設置面
【図１】
0005616777.tif 000002
【図２】
0005616777.tif 000003
【図３】
0005616777.tif 000004